(57)【特許請求の範囲】
【請求項１】
折返し部を有するＵ字状の原稿搬送経路に配置されるローラと、
前記原稿搬送経路に沿って搬送される前記原稿の第１面を読み取るために前記原稿搬送経路の外側に配置される第１の読取部と、
前記原稿の第２面を読み取るために前記原稿搬送経路の内側に配置される縮小光学系の第２の読取部と、
前記ローラの軸線を回動中心として、前記原稿を読み取るときの使用位置から前記第２の読取部の読取部分が露出する露出位置に回動可能であるとともに、前記ローラより前記折返し部に近い側に、前記第２の読取部が有する光路を構成する反射ミラーが配置されるスキャナフレームと、
前記第１の読取部の読取部分から前記第２の読取部の読取部分へ前記原稿搬送経路に従って前記原稿をガイドする原稿ガイドと、
を備え、
前記第２の読取部は、前記スキャナフレームの内部に配置されており、
前記原稿ガイドは、
前記原稿搬送経路の下流側へ行くに従って、前記第２の読取部の読取部分が配置されている高さ近傍まで上昇するように形成される第１案内部と、
前記第１案内部の下流側に配置され、その向きを前記第１案内部よりも水平に近づけながら下流側へと延びるように形成される第２案内部と、
を備えることを特徴とする原稿読取装置。
【請求項２】
請求項１に記載の原稿読取装置であって、
前記スキャナフレームは、前記第２の読取部の読取部分から前記折返し部に近い側の少なくとも一部において、当該折返し部に近づくに従って前記原稿搬送経路から離れるようなフレーム面を有しており、
前記第１案内部は湾曲状に構成されており、
前記フレーム面、前記第１案内部及び前記第２案内部がＹ字状に接続されることを特徴とする原稿読取装置。
【請求項３】
請求項２に記載の原稿読取装置であって、
前記第２案内部が水平な直線状に形成されることを特徴とする原稿読取装置。
【請求項４】
請求項３に記載の原稿読取装置であって、
前記第２案内部に対面するように前記第２の読取部の読取部分が位置することを特徴とする原稿読取装置。
【請求項５】
請求項１から４までの何れか一項に記載の原稿読取装置であって、
前記第１案内部に回転ローラが配置されることを特徴とする原稿読取装置。
【発明の詳細な説明】
【技術分野】
【０００１】
本発明は両面読取機能を備えた原稿読取装置に関するものであり、詳細には、原稿読取装置の開閉機構及び原稿搬送経路の構成に関するものである。
【背景技術】
【０００２】
従来から、原稿の第１面を読み取るための第１の読取部を本体側に備え、原稿の第２面を読み取るための第２の読取部を自動原稿搬送装置側に備えた、所謂ワンパス方式の原稿読取装置が知られている。この種の原稿読取装置を開示したものに例えば特許文献１がある。特許文献１が開示する原稿読取装置は、第１の読取部においてＣＣＤイメージセンサ等からなる縮小光学系の読取装置を用い、第２の読取部において密着型イメージセンサを用いている。この構成で、原稿読取装置に供給された原稿は、原稿読取装置内に形成される原稿搬送経路に従って第１の読取部及び第２の読取部へと搬送され、両面が読み取られる。
【特許文献１】特開２００５−１７８９９４号公報
【発明の開示】
【発明が解決しようとする課題】
【０００３】
ところで、両面読取機能を備える原稿読取装置においては、特許文献１のような密着型イメージセンサを備える第２の読取部に代えて、例えばＣＣＤイメージセンサからなる縮小光学系の読取部を用いる場合がある。しかし、この縮小光学系の読取部は所定の光路長を確保する必要があるため、密着型イメージセンサを用いる場合等に比べて第２の読取部及びそれを保持するスキャナフレームの構成が大きくなってしまう。
【０００４】
また、原稿読取装置は、ジャム原稿を取り除く等の各種メンテナンス作業を容易にするために、当該原稿読取装置の内部を開放する開閉機構を備えることがある。しかし、第２の読取部を縮小光学系の構成とした場合は、前述したように読取部の構成が大きくなるため、開閉のための十分なスペースを原稿読取装置内に確保することが難しかった。従って、特許文献１に開示するような従来の原稿読取装置において単に縮小光学系の読取部を適用するだけでは、装置の開閉を実現するための十分なスペースを確保できず、原稿読取装置の大型化を招くおそれがあった。
【０００５】
本発明は以上の事情に鑑みてなされたものであり、その目的は、縮小光学系の第２の読取部を備える原稿読取装置において、原稿読取装置内のスペースを有効に活用して開閉機構を実現する構成を提供することにある。
【課題を解決するための手段及び効果】
【０００６】
本発明の解決しようとする課題は以上の如くであり、次にこの課題を解決するための手段とその効果を説明する。
【０００７】
本発明の観点によれば、以下の構成の原稿読取装置が提供される。即ち、この原稿読取装置は、ローラと、第１の読取部と、縮小光学系の第２の読取部と、スキャナフレームと、原稿ガイドと、を備える。前記ローラは、折返し部を有するＵ字状の原稿搬送経路に配置される。前記第１の読取部は、前記原稿搬送経路に沿って搬送される前記原稿の第１面を読み取るために前記原稿搬送経路の外側に配置される。前記第２の読取部は、前記原稿の第２面を読み取るために前記原稿搬送経路の内側に配置される。前記スキャナフレームは、前記ローラの軸線を回動中心として、前記原稿を読み取るときの使用位置から前記第２の読取部の読取部分が露出する露出位置に回動可能であるとともに、前記ローラより前記折返し部に近い側に、前記第２の読取部が有する光路を構成する反射ミラーが配置される。前記第２の読取部は、前記スキャナフレームの内部に配置されている。前記原稿ガイドは、前記第１の読取部の読取部分から前記第２の読取部の読取部分へ前記原稿搬送経路に従って前記原稿をガイドする。前記原稿ガイドは、第１案内部と、第２案内部と、を備える。前記第１案内部は、前記原稿搬送経路の下流側へ行くに従って、前記第２の読取部の読取部分が配置されている高さ近傍まで上昇するように形成される。前記第２案内部は、前記第１案内部の下流側に配置され、その向きを前記第１案内部よりも水平に近づけながら下流側へと延びるように形成される。
【０００８】
これにより、第２の読取部の光路が原稿搬送経路の内側（折返し部側）に差し込まれるようにスキャナフレームを配置することができ、原稿読取装置内のスペースを有効に活用することができる。また、原稿ガイドの第２案内部は第１案内部よりも向きを水平に近づけるように形成されているので、第１の読取部から第２の読取部まで原稿ガイドが直線状に形成される場合に比べて、原稿読取装置内の高さ方向のスペースを有効に使うことができる。更に、スキャナフレームの回動中心がローラと同軸上にあるので、構成を簡素化することができ、製造コスト及び製造工数を低減することができる。
【０００９】
前記の原稿読取装置においては、以下の構成とすることが好ましい。即ち、前記スキャナフレームは、前記第２の読取部の読取部分から前記折返し部に近い側の少なくとも一部において、当該折返し部に近づくに従って前記原稿搬送経路から離れるようなフレーム面を有している。前記第１案内部は湾曲状に構成されている。前記フレーム面、前記第１案内部及び前記第２案内部がＹ字状に接続される。
【００１０】
これにより、Ｙ字の合流地点まではフレーム面及び第１案内部の湾曲部分が互いに離れているので、スキャナフレームの回動時に原稿ガイドに干渉することなくスキャナフレームを露出位置まで回動させることができる。また、第１案内部が湾曲しながら上昇しているので、原稿の引っ掛かりを防止しながらスムーズに原稿を上昇させて下流側へ搬送することができる。
【００１１】
前記の原稿読取装置においては、前記第２案内部が水平な直線状に形成されることが好ましい。
【００１２】
これにより、原稿読取装置内の高さ方向のスペースを更に有効に利用できるので、原稿読取装置を特に高さ方向で一層コンパクトに構成することができる。
【００１３】
前記の原稿読取装置においては、前記第２案内部に対面するように前記第２の読取部の読取部分が位置することが好ましい。
【００１４】
これにより、原稿を水平方向に搬送しながら第２の読取部で読み取る形になるので、原稿を安定的かつ正確に読み取ることができる。
【００１５】
前記の原稿読取装置においては、前記第１案内部に回転ローラが配置されることが好ましい。
【００１６】
これにより、第１の読取部の読取部分から搬送されてきた原稿を、回転ローラによって確実に下流側へ導くことができる。また、回転ローラは第１案内部に配置されるので、回転ローラを他の構成の邪魔になることなく合理的に配置できる。
【発明を実施するための最良の形態】
【００１７】
以下、本発明の好適な実施形態について図面を参照しながら説明する。図１は本発明の一実施形態に係る原稿読取装置としてのイメージスキャナ装置１０を含む、コピーファクシミリ複合機（複合機）２０の外観斜視図である。図２は、本実施形態のイメージスキャナ装置の構成を示した正面断面図である。なお、以下の説明において「水平」とは、装置の設置面と平行な方向を意味する。
【００１８】
図１に示すコピーファクシミリ複合機２０は、ブックスキャナ及びオートドキュメントフィードスキャナとして機能するイメージスキャナ装置１０を、当該複合機２０の上部に備えている。また、複合機２０は、コピー部数、ファクシミリ送信先及び原稿読取等を指示するための操作パネル７７を備える。
【００１９】
更に、複合機２０は、記録媒体としての用紙に画像を形成する画像形成部等を内蔵した本体７８と、前記用紙を順次供給する給紙カセット７９と、を備えている。この本体７８は、通信回線を介して画像データを伝送するための図略の送受信部等を備える。
【００２０】
次に図２を参照して、前記複合機２０が備えるイメージスキャナ装置１０について説明する。図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための第１スキャナユニット（第１の読取部）５０及び第２スキャナユニット（第２の読取部）６０を備えている。
【００２１】
このイメージスキャナ装置１０をオートドキュメントフィードスキャナとして使用する場合は、前記ＡＤＦ２５によって原稿を１枚ずつ搬送する。そして、原稿の表側の面（第１面）の画像は第１スキャナユニット５０によって読み取られ、裏側の面（第２面）の画像は第２スキャナユニット６０によって読み取られる。
【００２２】
一方、イメージスキャナ装置１０をブックスキャナとして使用する場合は、読み取るべきブック原稿をユーザがプラテンガラス２２上に載置して、その上から原稿台カバー２１によって押圧し、ブック原稿が動かないように固定する。この状態で、第１スキャナユニット５０によって原稿の画像を読み取ることができるようになっている。
【００２３】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。また、ＡＤＦ２５は、ＡＤＦ本体部１６と、その上側を覆うカバー部１１とを備えている。このカバー部１１は、カバー回動軸４３を介してＡＤＦ本体部１６に回動可能に支持されている。
【００２４】
図２に示すように、前記原稿台カバー２１の内部には、原稿トレイ２３と排出トレイ２４とを繋ぐ湾曲状（正面氏で横向きＵ字状）の原稿搬送経路３０が構成されている。この構成で、原稿トレイ２３に重ねてセットされた原稿は、１枚ずつ分離されて湾曲状の前記原稿搬送経路３０に沿って搬送され、排出トレイ２４へ排出される。原稿の読取の開始等の指示は、図１に示す操作パネル７７によって行うことができる。
【００２５】
次に、原稿搬送経路３０に沿って、ＡＤＦ２５の各部の構成を詳細に説明する。
【００２６】
図２に示すように、原稿トレイ２３から原稿搬送経路３０に原稿が供給される箇所にはピックアップローラ３１が配置されている。このピックアップローラ３１の下流側には分離ローラ３２が備えられ、この分離ローラ３２に対向して対向ローラ３７が配置されている。
【００２７】
この構成で、ピックアップローラ３１が駆動されることによって、原稿トレイ２３上の最上層の原稿がＡＤＦ２５内に繰り込まれる。原稿はピックアップローラ３１の駆動によって分離ローラ３２へ送られ、当該分離ローラ３２と対向ローラ３７との間にニップされる。そして原稿は、回転駆動する分離ローラ３２によって１枚ずつ分離され、原稿搬送経路３０の下流側へ搬送される。
【００２８】
分離ローラ３２の下流側には、レジストローラ３９と、このレジストローラ３９と対になる対向ローラと、が配置されている。レジストローラ３９は前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００２９】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて、更に下流側へ搬送される。
【００３０】
２つの搬送ローラ３４，３５の間には第１原稿読取位置８０が設定されており、この第１原稿読取位置８０にはコンタクトガラス４４及びプラテンローラ２９が配置されている。そして、この第１原稿読取位置８０を通過する原稿は、後述の第１スキャナユニット５０によって走査され、読み取られる。なお、前記搬送ローラ３３から第１原稿読取位置８０までの間において、原稿搬送経路３０には、原稿の搬送方向を反転させる折返し部４５が形成されている。
【００３１】
第１スキャナユニット５０について説明する。この第１スキャナユニット５０は本体７８側に設置されるとともに、ＡＤＦ２５及びプラテンガラス２２の下方に配置されている。また、この第１スキャナユニット５０は、光源５１と、反射ミラー５２，５３，５４と、集光レンズ５５と、電荷結合素子（ＣＣＤ）５６と、を備えている。光源５１は、前記ＡＤＦ２５の前記第１原稿読取位置８０に配置された読取部分としてのコンタクトガラス４４（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００３２】
第１スキャナユニット５０の光源５１及び反射ミラー５２等は移動可能に構成されている。前述したようにイメージスキャナ装置１０をブックスキャナとして使用する場合は、第１スキャナユニット５０の光源５１及び反射ミラー５２等をプラテンガラス２２に沿って移動させる。これによって、プラテンガラス２２上に載置された原稿を読み取ることができるようになっている。
【００３３】
一方、イメージスキャナ装置１０をオートドキュメントフィードスキャナとして使用する場合は、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、第１スキャナユニット５０が走査して読み取ることができる。
【００３４】
第１スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００３５】
原稿搬送経路３０において、前記第１原稿読取位置８０の下流側（搬送ローラ３５の下流側）には第２原稿読取位置９０が設定されている。また、第１原稿読取位置８０の下流側には、原稿搬送経路３０に沿って形成された原稿ガイド１３が配置されている。原稿ガイド１３は、第１原稿読取位置８０から第２原稿読取位置９０まで（前記コンタクトガラス４４から後述の読取ガラス４２まで）の間で原稿を案内するためのものであり、ＡＤＦ本体部１６に取り付けられている。なお、原稿ガイド１３の詳細については後述する。
【００３６】
前記第２原稿読取位置９０まで搬送された原稿の裏面は、次に説明する第２スキャナユニット６０によって走査されて読み取られる。
【００３７】
第２スキャナユニット６０について説明する。この第２スキャナユニット６０は、Ｕ字状に構成された前記原稿搬送経路３０に内側から接するように、当該原稿搬送経路３０の内側に設置されている。また、第２スキャナユニット６０は、ＡＤＦ２５の内部に保持されたスキャナフレーム１２を備えている。このスキャナフレーム１２は、内部の光学系を構成する部品等を支持するとともに、その外側を覆って保護するように構成されている。
【００３８】
スキャナフレーム１２の底部（原稿搬送経路３０に接する部分）には、原稿の裏面を読み取るための読取ガラス４２（読取部分）が備えられる。この読取ガラス４２は、前記第２原稿読取位置９０に対応する位置に配置される。また、図２に示すように、この読取ガラス４２は、前述したレジストローラ３９よりも前記折返し部４５から若干遠い側に配置されている。更に、前記読取ガラス４２は、前記第１スキャナユニット５０のコンタクトガラス４４よりも高い位置に配置されている。
【００３９】
また、スキャナフレーム１２の前記第２原稿読取位置９０に対向するように、プラテンローラ３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００４０】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００４１】
次にスキャナフレーム１２、第２スキャナユニット６０及び原稿ガイド１３について説明する。前述したように、スキャナフレーム１２はＡＤＦ本体部１６内に保持されている。また、スキャナフレーム１２の下面には、読取ガラス４２より原稿搬送経路３０上流側（前記折返し部４５に近い側であって、図２における紙面左側）の部分において、上方に湾曲するフレーム面１４が形成されている。このフレーム面１４は、前記折返し部４５に近づくに従って前記原稿搬送経路３０から徐々に離れるような面として構成されている。以上の構成のスキャナフレーム１２により密閉空間が形成され、この空間の内部に、第２スキャナユニット６０の光路を構成する部品が配置されている。
【００４２】
また、スキャナフレーム１２には押圧ローラ４０が回転可能に支持され、この押圧ローラ４０は、前記排出ローラ３６に対向するようにしてスキャナフレーム１２の底部に配置されている。この構成で、第２スキャナユニット６０で読み取られた原稿は、前記押圧ローラ４０と排出ローラ３６との間でニップされ、排出ローラ３６の駆動によって排出トレイ２４へ導かれる。
【００４３】
前記スキャナフレーム１２は、レジストローラ３９を支持するローラ軸４１を中心として回動可能に構成されている。言い換えれば、スキャナフレーム１２の回動中心は、前記レジストローラ３９の回転軸線と一致する。
【００４４】
以下、具体的な構成を説明する。前記ＡＤＦ２５は、湾曲状の原稿搬送経路３０の内側で原稿の向きを案内するインナーガイド１９を備えている。このインナーガイド１９は、原稿搬送経路３０においてピックアップローラ３１からレジストローラ３９までの範囲に配置される。インナーガイド１９は、ピックアップローラ３１及び分離ローラ３２の下方に配置されるとともに、レジストローラ３９のローラ軸４１に軸支されている。
【００４５】
前記インナーガイド１９はカバー状に形成されており、前記スキャナフレーム１２の上側を広範囲にわたって覆うように構成されている。そして、このインナーガイド１９に第２スキャナユニット６０のスキャナフレーム１２を取り付けることで、スキャナフレーム１２がインナーガイド１９とともに回動できるようになっている。
【００４６】
そして、前記ローラ軸４１等によって、スキャナフレーム１２を開閉するためのヒンジ機構（開閉機構）４６が構成されている。なお、このヒンジ機構４６を用いたスキャナフレーム１２の開閉については後述する。
【００４７】
次に、第２スキャナユニット６０において構成される縮小光学系について説明する。図２に示すように、第２スキャナユニット６０は、光源６１と、反射ミラー６２，６３，６４，６５と、集光レンズ６７と、電荷結合素子（ＣＣＤ）５７と、を備えている。これらの部品は、何れもスキャナフレーム１２の内部に配置されている。
【００４８】
光源６１は読取ガラス４２を臨むように配置されており、当該読取ガラス４２を介して第２原稿読取位置９０に光を照射することができる。反射ミラー６２，６３，６４，６５は、原稿からの反射光を更に複数回折り返すように反射させ、集光レンズ６７に導くように構成されている。集光レンズ６７は光を収束させてＣＣＤ５７の部分に結像させ、ＣＣＤ５７は、第１スキャナユニット５０におけるＣＣＤ５６と同様に、原稿の画像情報に応じた電気信号を出力する。この信号も適宜変換処理され、複合機２０が備える画像形成部に送信される。
【００４９】
本実施形態では、前記スキャナフレーム１２の一部が、レジストローラ３９より、原稿搬送経路３０の前記折返し部４５側へ入り込むように配置されている。従って、ＡＤＦ２５内のスペースを有効に使うことができる。また、スキャナフレーム１２がレジストローラ３９よりも折返し部４５側へ差し込まれた部分（以下、差込部分と称する）において、スキャナフレーム１２の内部には、前記第２スキャナユニット６０に形成される光路を構成する部品（具体的には、反射ミラー６３，６４）が配置されている。これにより、第２スキャナユニット６０の光路の一部が上記差込部分に配置されることとなるので、スキャナフレーム１２内の空間を有効に使って第２スキャナユニット６０の光路を構成でき、スキャナフレーム１２の小型化及び排出トレイ２４側への突出の抑制が可能となっている。
【００５０】
次に図３を参照して、原稿ガイド１３について説明する。図３はスキャナフレーム１２及び原稿ガイド１３の様子を示した拡大断面図である。
【００５１】
原稿ガイド１３は前述のとおり第１原稿読取位置８０の下流側に配置されるとともに、フレーム面１４の下方に配置されている。更に、原稿ガイド１３は、湾曲状の原稿搬送経路３０に下側から接するようにして、当該原稿搬送経路３０の外側に配置されている。また、この原稿ガイド１３は、湾曲部（第１案内部）７１と、直線部（第２案内部）７２と、を備えている。
【００５２】
湾曲部７１は、第１原稿読取位置８０の下流側近傍から開始される曲面状の斜面を有するように形成される。この斜面は、第１原稿読取位置８０から第２原稿読取位置９０に近づくに従って、原稿搬送経路３０に沿ってせり上がるような形状に構成されている。これにより、前記湾曲部７１は、その高さが前記第２スキャナユニット６０の読取ガラス４２の高さ近傍まで上昇するように構成されることになる。また、この湾曲部７１の中途部には、搬送ローラ３５に対向するように対向ローラ（回転ローラ）４７が配置されている。
【００５３】
湾曲部７１の下流側には、前記直線部７２が接続される。この直線部７２は、原稿搬送方向下流側に水平方向に延びる平面を有している。直線部７２の下流側端部にはプラテンローラ３８が配置されており、前記読取ガラス４２に、直線部７２の下流側端部（プラテンローラ３８）が対面する状態となっている。
【００５４】
そして、図４に示すように、前記湾曲部７１と前記フレーム面１４が第２原稿読取位置９０の上流側で合流し、この合流地点から前記直線部７２が第２原稿読取位置９０に向かって延びるように構成されている。具体的にいえば、原稿ガイド１３とフレーム面１４は上下方向でほぼ対応する位置に配置されており、第２原稿読取位置９０に近づくに従って原稿ガイド１３とフレーム面１４との間隔が狭まるような形状となっている。そして、更に第２原稿読取位置９０に近づいていくと、フレーム面１４が原稿搬送経路３０と合流するとともに、その合流位置から水平状の直線部７２が原稿搬送経路３０に沿って延びるように構成されている。
【００５５】
即ち、前記湾曲部７１が前記直線部７２に移行する位置と、フレーム面１４が原稿ガイド１３の案内面（原稿搬送経路３０）に合流する位置とが、ほぼ一致するように構成されている。言い換えれば、前記湾曲部７１、前記直線部７２及び前記フレーム面１４が、正面視において横向きＹ字状になるように接続されている。
【００５６】
この構成で、第１原稿読取位置８０で表側の面の画像が読み取られた原稿は、原稿ガイド１３の湾曲部７１へ送られる。湾曲部７１へ搬送された原稿は、当該湾曲部７１に配置される搬送ローラ３５と対向ローラ４７によって、更に下流側の直線部７２に搬送される。そして原稿は、スキャナフレーム１２（フレーム面１４）と原稿ガイド１３の間に形成される原稿搬送経路３０に従って、第２原稿読取位置９０まで搬送される。原稿は、第２原稿読取位置９０で裏側の面の画像を読み取られた後、排出ローラ３６まで搬送され、排出トレイ２４へ排出される。
【００５７】
次に、ヒンジ機構４６によるスキャナフレーム１２のスキャナフレーム１２の開閉について説明する。図４はスキャナフレーム１２の開閉の様子を示した要部断面図である。
【００５８】
前記スキャナフレーム１２は、通常の状態では図２に示すように原稿搬送経路３０の内側に位置しており、ほぼ水平姿勢となっている。そして、第２スキャナユニット６０のメンテナンス等を行う際には、最初に、ＡＤＦ２５のカバー部１１を持ち上げるように上方向に回動させて、図４に示すようにカバー部１１を開いた状態とする。これにより、レジストローラ３９及び分離ローラ３２のニップが解除されるとともに、原稿搬送経路３０の上流側半部が開放される。
【００５９】
次に、スキャナフレーム１２を持ち上げることで、図４の実線で描かれた位置（使用位置）から前記ローラ軸４１を中心に回動させて上方向に引き出し、図４の鎖線で示す位置（露出位置）まで移動させる。これにより、第２スキャナユニット６０の読取ガラス４２を露出させ、清掃等のメンテナンス作業を容易に行うことができる。
【００６０】
なお、前記スキャナフレーム１２は、前述のとおり、折返し部４５に近づくに従って原稿搬送経路３０から徐々に離れるように形成されたフレーム面１４を有している。また、前記原稿ガイド１３の湾曲部７１及び直線部７２と、フレーム面１４とがＹ字状に接続するように構成されている。これにより、スキャナフレーム１２の回動時にフレーム面１４と原稿ガイド１３が干渉することを回避でき、スキャナフレーム１２をスムーズに開放させることができる。
【００６１】
メンテナンス作業等の終了後、図２等に示す使用位置に戻すために、ユーザはスキャナフレーム１２を手で押し下げる。スキャナフレーム１２は、前述のローラ軸４１を中心に下方向に回動する。その後、更にカバー部１１を閉じることで、ＡＤＦ２５を再び使用できる状態になる。
【００６２】
以上に示すように、本実施形態の複合機２０が備えるイメージスキャナ装置１０は、レジストローラ３９と、第１スキャナユニット５０と、縮小光学系の第２スキャナユニット６０と、スキャナフレーム１２と、原稿ガイド１３と、を備える。前記レジストローラ３９は、折返し部４５を有するＵ字状の原稿搬送経路３０に配置される。第１スキャナユニット５０は、原稿搬送経路３０に沿って搬送される原稿の表側の面を読み取るために前記原稿搬送経路３０の外側に配置される。第２スキャナユニット６０は、原稿の裏側の面を読み取るために原稿搬送経路３０の内側に配置される。前記スキャナフレーム１２は、前記レジストローラ３９の軸線を回動中心として、前記原稿を読み取るときの使用位置から前記第２スキャナユニット６０の読取ガラス４２が露出する露出位置に回動可能である。また、スキャナフレーム１２の前記レジストローラ３９より前記折返し部４５に近い側の部分に、前記第２スキャナユニット６０が有する光路の一部が配置される。原稿ガイド１３は、前記第１スキャナユニット５０のコンタクトガラス４４から前記第２スキャナユニット６０の読取ガラス４２へ原稿搬送経路３０に従って前記原稿をガイドする。また、この原稿ガイド１３は、湾曲部７１と、直線部７２と、を備える。湾曲部７１は、原稿搬送経路３０の下流側へ行くに従って、前記第２スキャナユニット６０の読取ガラス４２が配置されている高さ近傍まで上昇するように形成される。前記直線部７２は、前記湾曲部７１の下流側に配置され、その向きを前記湾曲部７１よりも水平に近づけながら（水平向きに変えながら）下流側へと延びるように形成される。
【００６３】
この構成により、第２スキャナユニット６０を保持するスキャナフレーム１２を原稿搬送経路３０の内側（折返し部４５に近い側）に差し込むように配置することができ、イメージスキャナ装置１０内のスペースを有効に活用することができる。また、原稿ガイド１３の直線部７２は湾曲部７１よりも向きを水平に近づけるように形成されているので、第２スキャナユニット６０まで原稿ガイド１３が直線で形成される場合に比べて、イメージスキャナ装置１０内の高さ方向のスペースを有効に使うことができる。更に、スキャナフレーム１２の回動中心がレジストローラ３９と同軸上にあるので、構成を簡素化することができ、製造コスト及び製造工数を低減することができる。
【００６４】
また、本実施形態のイメージスキャナ装置１０において、前記スキャナフレーム１２は、第２スキャナユニット６０の読取ガラス４２から折返し部４５に近い側の一部において、当該折返し部４５に近づくに従って前記原稿搬送経路３０から離れるようなフレーム面１４を有している。また、前記湾曲部７１は湾曲状に構成されている。そして、前記フレーム面１４、前記湾曲部７１及び直線部７２がＹ字状に接続される。
【００６５】
この構成により、Ｙ字の合流地点まではフレーム面１４及び湾曲部７１の湾曲部分が互いに離れているので、スキャナフレーム１２の回動時に原稿ガイド１３に干渉することなくスキャナフレーム１２を露出位置まで回動させることができる。また、湾曲部７１が湾曲しながら上昇しているので、原稿の引っ掛かりを防止しながらスムーズに原稿を上昇させて下流側へ搬送することができる。
【００６６】
また、本実施形態のイメージスキャナ装置１０においては、前記直線部７２が水平な直線状に形成される。
【００６７】
この構成により、イメージスキャナ装置１０内の高さ方向のスペースを更に有効に利用できるので、原稿読取装置を特に高さ方向で一層コンパクトに構成することができる。
【００６８】
また、本実施形態のイメージスキャナ装置１０においては、前記直線部７２に対面するように前記読取ガラス４２が位置する。
【００６９】
この構成により、原稿を水平方向に搬送しながら第２スキャナユニット６０で読み取る形になるので、原稿を安定的かつ正確に読み取ることができる。
【００７０】
また、本実施形態のイメージスキャナ装置１０においては、前記湾曲部７１に対向ローラ４７が配置される。
【００７１】
この構成により、第１原稿読取位置８０から搬送されてきた原稿を、対向ローラ４７によって確実に下流側へ導くことができる。また、対向ローラ４７は湾曲部７１に配置されるので、対向ローラ４７を他の構成の邪魔になることなく合理的に配置できる。
【００７２】
なお、上記実施形態では原稿ガイド１３に湾曲部７１が形成されているが、図５に示すように、この湾曲部７１に代えて直線状の斜面を形成し、原稿ガイド１３が２つの直線部を有するように変更することができる。以下、この変形例について図５を参照して説明する。なお、この変形例においては、上記実施形態と同一及び類似する構成について、図面に同一の符号を付して説明を省略する場合がある。
【００７３】
図５に示すように、変形例の原稿ガイド１１３は、傾斜部１７１と、直線部１７２と、傾斜部１７１及び直線部１７２とを接続する屈曲部１７３と、を備える。傾斜部１７１は、第１原稿読取位置８０の下流側の近傍から第２原稿読取位置９０の高さまで直線的に上昇するように形成されている。一方、屈曲部１７３を挟んで傾斜部１７１の下流側に配置される直線部１７２は、第２原稿読取位置９０まで水平な向きに延びている。この構成によっても、ＡＤＦ２５内（イメージスキャナ装置１０内）の高さ方向のスペースを有効に使うことができる。また、傾斜部１７１が平面的に構成されているので、原稿ガイド１１３の形状を単純化でき、製造コストを低減することができる。
【００７４】
以上に本発明の好適な実施形態を説明したが、上記の構成は更に以下のように変更することができる。
【００７５】
上記実施形態の湾曲部７１に代えて、例えば、上方に傾斜する直線部分と湾曲部分とを組み合わせた形状に変更することができる。また、直線部７２の部分が湾曲状となるように変更したり、直線部７２が水平ではなく若干の傾斜を有する直線状となるように変更することもできる。
【００７６】
また、上記実施形態では、湾曲部７１に配置される対向ローラ４７は、搬送ローラ３５の駆動に伴って従動回転するように構成されている。しかしながらこの構成に代えて、駆動側のローラを湾曲部７１（原稿ガイド１３）に配置する構成に変更することができる。
【００７７】
前記コピーファクシミリ複合機２０に代えて、例えば、コピー機、ファクシミリ装置等にも、本発明のイメージスキャナ装置１０を適用することができる。
【００７８】
上記実施形態ではイメージスキャナ装置１０は複合機２０の一部として備えられているが、この構成に代えて、単体のイメージスキャナ装置として構成することができる。
【図面の簡単な説明】
【００７９】
【図１】本発明の一実施形態に係るイメージスキャナ装置を含むコピーファクシミリ複合機の様子を示した外観斜視図。
【図２】本実施形態のイメージスキャナ装置の構成を示した正面断面図。
【図３】スキャナフレーム及び原稿ガイドの様子を詳細に示す拡大断面図。
【図４】スキャナフレームの開閉の様子を示した要部断面図。
【図５】変形例のスキャナフレーム及び原稿ガイドの様子を示す拡大断面図。
【符号の説明】
【００８０】
１０  イメージスキャナ装置（原稿読取装置）
１２  スキャナフレーム
１３  原稿ガイド
１４  フレーム面
２０  コピーファクシミリ複合機
２５  自動原稿搬送装置（ＡＤＦ）
３０  原稿搬送経路
３９  レジストローラ
４２  読取ガラス（第２の読取部の読取部分）
４４  コンタクトガラス（第１の読取部の読取部分）
５０  第１スキャナユニット（第１の読取部）
６０  第２スキャナユニット（第２の読取部）
７１  湾曲部（第１案内部）
７２  直線部（第２案内部）
【図１】
0004596033.tif 000002
【図２】
0004596033.tif 000003
【図３】
0004596033.tif 000004
【図４】
0004596033.tif 000005
【図５】
0004596033.tif 000006